(57)【特許請求の範囲】
【請求項１】
複数の異なる通信システムに対応可能な通信機能を有する移動体通信装置において、
複数の通信システムにそれぞれ対応して設けられた複数の無線機と、
複数の無線機を制御する無線機制御部と、
前記移動体通信装置が使用可能な複数の地域及び通信システムの情報と複数の通信システム及び周波数の情報とをそれぞれ対応づけて記憶する記憶部と、
前記移動体通信装置の使用が特定される地域及び通信システムの情報を記録するカードと、
前記移動体通信装置の起動時に前記カードの記録情報に基づき前記記憶部内の１つの通信システム及び周波数を選択するとともに、選択した通信システム及び周波数を前記無線機制御部に通知し、前記無線機制御部にこの通信システムに適合する無線機の選択と選択した無線機に対する周波数の設定とを行わせるとともに該当無線機の起動・動作を行わせる制御部と
を有することを特徴とする移動体通信装置。
【請求項２】
請求項１において、
前記記憶部には、使用可能な複数の地域における各時間情報が複数の通信システム及び周波数の情報に対応づけて記憶され、
前記制御部は、前記記憶部内に選択対象の通信システム及び周波数が複数存在する場合は、前記記憶部に記憶されている各時間情報のうち現在の時計情報に適合する時間情報を示す現在の使用地域の時間情報に応じた１つの通信システム及び周波数を選択することを特徴とする移動体通信装置。
【請求項３】
請求項１において、
前記制御部は、前記記憶部内に選択対象の通信システム及び周波数が複数存在する場合は、予め入力されている優先順位に応じて１つの通信システム及び周波数を選択することを特徴とする移動体通信装置。
【発明の詳細な説明】
【０００１】
【発明の属する技術分野】
本発明は、移動体通信装置に関し、特に複数の異なる通信システムに対応可能な通信機能を有する移動体通信装置に関する。
【０００２】
【従来の技術】
ＰＨＳや携帯電話などの移動体通信装置の中には、近年、複数の異なる通信システムに対応できるようにした装置がある。このような移動体通信装置では、複数の異なる通信システムに対応した複数の無線機を備え、或る通信システムの基地局の圏内に入ると、その通信システムに応じた無線機を選択して基地局との間で無線通信を行うようにしている。
【０００３】
このような移動体通信装置では、該当する通信システムに適合した無線機を選択してこの選択無線機を用いた待ち受け動作に移行する場合、以下のような第１及び第２の方法により無線機の選択を行っている。すなわち、第１の方法として、まず予め利用者により任意に設定された無線機を選択しこの選択無線機を用いて通信を行い、通信が不可の場合は他の無線機を選択してこの選択無線機を用いて通信を行うようにして該当通信システムと通信が可能な無線機を選択し、待ち受け動作に移行するようにしている。また、第２の方法として、まず優先度が高い通信システムに対応した無線機を選択してこの選択無線機を用いて通信を行い、通信が不可となる場合は自動的に他の無線機を選択してこの選択無線機を用いて通信を行うようにして該当通信システムに適合した無線機を選択し、待ち受け動作に移行するようにしている。なお、前記無線機における周波数の選択においても候補周波数を全て選択して試行している。
【０００４】
【発明が解決しようとする課題】
しかし、複数の異なる通信システムに使用可能なこの種の移動体通信装置は、この移動体通信装置が現在位置する地域で運用されていない通信システムや周波数を検出する過程が生じることから、待ち受け動作に移行するまでの間に無駄な時間を費やすと共にこの間この移動体通信装置において電力が消費されることからこの移動体通信装置の各部に電源を供給するバッテリの寿命が短くなるという課題があった。
【０００５】
したがって、本発明は、移動体通信装置において、該当する通信システムに適合する無線機及び周波数を速やかに選択し、速やかに待ち受け動作に移行することを目的とする。
【０００６】
【課題を解決するための手段】
このような課題を解決するために本発明は、複数の異なる通信システムに対応可能な通信機能を有する移動体通信装置において、複数の通信システムにそれぞれ対応して設けられた複数の無線機と、複数の無線機を制御する無線機制御部と、移動体通信装置が使用可能な複数の地域及び通信システムと複数の通信システム及び周波数とを対応づけて記憶する記憶部と、移動体通信装置の使用が特定される地域及び通信システムの情報を記録するカードと、移動体通信装置の起動時にカードの記録情報に基づき記憶部内の１つの通信システム及び周波数を選択するとともに、選択した通信システム及び周波数を無線機制御部に通知し、無線機制御部にこの通信システムに適合する無線機の選択と選択した無線機に対する周波数の設定とを行わせ該当無線機を起動・動作させる制御部とを備えるものである。
【０００８】
この場合、記憶部に、使用可能な複数の地域における各時間情報を複数の通信システム及び周波数の情報に対応づけて記憶し、制御部は、記憶部内に選択対象の通信システム及び周波数が複数存在する場合は、記憶部に記憶されている各時間情報のうち現在の時計情報に適合する時間情報を示す現在の使用地域の時間情報に応じた１つの通信システム及び周波数を選択するものである。
さらに、制御部は、この場合、予め入力されている優先順位に応じて１つの通信システム及び周波数を選択するようにしても良い。
【００１０】
【発明の実施の形態】
以下、本発明について図面を参照して説明する。
図１は本発明に係る移動体通信装置の構成を示すブロック図である。本移動体通信装置である携帯電話機１は、図１に示すように、装置全体を制御する制御部１１を有するとともに、前記制御部１１には無線機制御部１２が接続され、さらに前記無線機制御部１２には、通信システムＡの基地局との間の無線通信が可能なシステムＡ用無線機１３と、前記通信システムＡとは異なる通信システムＢの基地局との間の無線通信が可能なシステムＢ用無線機１４とが接続される。
【００１１】
また、前記制御部１１には、メモリ１５と、時計ＩＣなどの時計部１６と、表示部１７と、操作部１８と、ＵＩＭ（User Identifier Module）カード等のカード３の情報の読み取りが可能なカードリーダ１９が接続される。また、携帯電話機１には、音声処理部２０，マイク２１及びスピーカ２２が設けられ、音声処理部２０はマイク２１からの音声信号を処理してシステムＡ用無線機１３またはシステムＢ用無線機１４へ送出するとともに、システムＡ用無線機１３またはシステムＢ用無線機１４からの音声データを処理して音声信号としてスピーカ２２へ送出する。さらに、携帯電話機１には上記の各部に電源を供給するバッテリ２３が設けられている。
【００１２】
ところで、システムＡ用無線機１３及びシステムＢ用無線機１４は、前述したようにそれぞれの通信システムＡ，Ｂでの通信を提供するものである。ここで、前述の通信システムとは、現在ではＰＤＣ、ＰＨＳ，ＧＳＭ、ＵＭＴＳ等を指している。また、無線機制御部１２は、システムＡ用無線機１３またはシステムＢ用無線機１４の起動及び動作制御を実施する。さらに、制御部１１は、カード３またはメモリ１５から得られるシステム・周波数情報や前回使用したシステム・周波数情報から起動・動作すべきシステム・周波数情報を無線機制御部１２に通知し、無線機制御部１２に対し該当通信システムに適合する無線機及び周波数を選択させる機能を有する。
【００１３】
制御部１１は、起動・動作すべきシステム・周波数を決定する場合、以下のような第１ないし第３の実施の形態に示す方法により判断し決定する。
（第１の実施の形態）
第１の実施の形態では、時計情報に基づき起動・動作すべきシステム・周波数情報を判断する。すなわち、メモリ１５に図３に示すように、予め使用されるであろう地域・国（○○国の○△地域）における時間情報と使用可能性のある各システム・周波数を対応づけて記憶したテーブル１５Ａを設ける。ここで、利用者が自身の携帯電話機１の図示しない電源スイッチをオンすると、バッテリ２３からの電源が制御部１１を含む各部に供給される。この場合、制御部１１は時計部１６の現在の時計情報に基づき、テーブル１５Ａ内の該当するシステム・周波数情報を選択して無線機制御部３へ与え、無線機制御部３に対し、該当通信システムに適合する無線機の選択とこの選択無線機への周波数を設定させて該当無線機を起動・動作させる。
【００１４】
これにより、起動された無線機では直ちに自身に適合する通信システムの基地局と通信を行うことができ、したがって待ち受け時間に移行するまでの間に無駄な時間が費やされずに速やかに待ち受け動作に移行できる。この結果、この間の移動体通信装置側の無駄な電力の消費が防止でき、したがってバッテリ２３の寿命が短くなるという問題を回避することができる。なお、テーブル１５Ａに選択対象のシステム・周波数情報の候補が複数存在する場合には予め利用者により入力されている優先順位に従う場合も考えられる。
【００１５】
（第２の実施の形態）
第２の実施の形態では、ＵＩＭカード等の利用者のカード３から得られる地域情報（地域識別情報）、システム情報（通信システムの識別情報）、及びオペレータ情報（通信システムを運営する運営者の識別情報）に基づき、起動・動作すべきシステム・周波数情報を判断する。すなわち、ＵＩＭカード３の領域３Ａに図２に示すように、地域・システム・オペレータ情報を記録し、メモリ１５には図３に示すように、地域・システム・オペレータ情報と使用可能性のある各システム・周波数を対応づけて記憶したテーブル１５Ｂを設ける。利用者は、該当地域の該当通信システムに適合するカードを携帯電話機１のカードリーダ１９に挿入し、携帯電話機１の電源スイッチをオンする。すると、バッテリ２３からの電源が制御部１１などに供給され、この場合制御部１１はカード３の地域・システム・オペレータ情報をカードリーダ１９を介して読み取る。そして、読み取った地域・システム・オペレータ情報に基づき、テーブル１５Ｂ内の該当するシステム・周波数情報を選択して選択したシステム・周波数情報を無線機制御部３に与え、無線機制御部３により該当通信システムに適合する無線機と周波数を選択させて、この選択無線機に選択した周波数を設定させた後その選択無線機を起動させ、該当選択周波数で動作させる。
【００１６】
これにより、起動された無線機では第１の実施の形態と同様に直ちに自身に適合する通信システムの基地局と通信することができ、この結果、待ち受け時間に移行するまでの間に無駄な時間が費やされずに速やかに移行できることから、前述の第１の実施の形態と同様の効果を得ることができる。なお、カード３にオペレータ情報を記録せずに地域・システム情報のみを記録し、かつテーブル１５Ｂに地域・システム情報に関連づけて使用可能性のあるシステム・周波数を記憶させることによっても、同様の効果を奏する。また、テーブル１５Ｂに選択対象のシステム・周波数情報の候補が複数存在する場合には予め利用者により入力されている優先順位に従う場合も考えられる。また、時計部１６の時計情報をもとに、テーブル１５Ａを用いてさらにシステム・周波数情報の候補を絞り込むことも考えられる。
【００１７】
（第３の実施の形態）
第３の実施の形態では、前回使用したシステム・周波数情報に基づき、起動・動作すべきシステム・周波数情報を判断する。すなわち、制御部１１は、システム・周波数情報を無線機制御部３へ与え、無線機制御部３に該当無線機及び周波数を選択させて起動・動作させた後、このシステム・周波数情報をメモリ１５の図３に示す領域１５Ｃに記憶する。そして、このシステム・周波数情報に基づく通話などが終了した後、再び利用者がこの携帯電話機１を用いて通話を行うために電源スイッチがオンされると、バッテリ２３からの電源が制御部１１に供給される。この場合、制御部１１は、メモリ１５の領域１５Ｃ内の前回に使用したシステム・周波数情報を優先的に読み出して無線機制御部３へ与え、該当通信システムに適合する無線機及び周波数を選択させて該当無線機を起動・動作させる。
【００１８】
これにより、起動された無線機では前述の第１及び第２の実施の形態と同様、直ちに自身に適合する通信システムの基地局と通信することができる。この結果携帯電話機１は速やかに待ち受け動作に移行できることから、前述した第１の実施の形態と同様の効果を得ることができる。
なお、前述した第１〜第３の各実施の形態におけるシステム・周波数情報の選択方法を組み合わせることにより、より限定されたシステム・周波数での起動も可能となる。
【００１９】
このように、本実施の形態では、設定されている時計情報より得られる地域情報、若しくはＵＩＭカード等より得られる地域・システム・オペレータ情報、または前回使用したシステム・周波数情報を利用して、初期起動システム及び初期基地局検出用周波数を効率的に選択することにより、無駄なシステム・周波数の検出が省略され、この結果、速やかに待ち受け動作に移行することができ、したがってバッテリ寿命の長期化が可能になる。
【００２０】
【発明の効果】
以上説明したように本発明は、複数の異なる通信システムに対応可能な通信機能を有する移動体通信装置において、複数の通信システムにそれぞれ対応して設けられた複数の無線機と、複数の無線機を制御する無線機制御部と、移動体通信装置が使用される複数の地域における各時間情報と複数の通信システム及び周波数とを対応づけて記憶する記憶部とを備え、移動体通信装置の起動時に現在の時計情報と記憶部の記憶情報に基づき記憶部の複数の通信システム及び周波数の何れか１つを選択するとともに、選択した通信システム及び周波数を無線機制御部に通知し、無線機制御部にこの通信システムに適合する無線機の選択と選択した無線機に対する周波数の設定とを行わせ該当無線機を起動・動作させるようにしたので、移動体通信装置の初期起動時に無駄な通信システムや周波数の検出動作が省略されて、移動体通信装置を速やかに待ち受け動作に移行させることができ、したがって待ち受け動作に移行するまでの間の無駄な消費電力を削減できることから、この移動体通信装置の各部に電源を供給するバッテリの寿命の長期化が可能になる。
【００２１】
また、本発明は、移動体通信装置が使用可能な複数の地域及び通信システムと複数の通信システム及び周波数とを対応づけて記憶する記憶部と、移動体通信装置が使用される地域及び通信システムの情報を記録するカードとを設け、移動体通信装置の起動時にカードの記録情報と記憶部の記憶情報に基づき記憶部の複数の通信システム及び周波数の何れかを選択するとともに、選択した通信システム及び周波数を無線機制御部に通知し、無線機制御部にこの通信システムに適合する無線機の選択と選択した無線機に対する周波数の設定とを行わせ該当無線機を起動・動作させるようにしたので、同様に移動体通信装置を速やかに待ち受け動作に移行させることができ、この結果、同様にバッテリ寿命の長期化が可能になる。
【００２２】
この場合、上記構成に加えて、移動体通信装置が使用される複数の地域における各時間情報と複数の通信システム及び周波数とを対応づけて記憶する記憶手段を設け、移動体通信装置の起動時に現在の時計情報と記憶手段の記憶情報に基づき記憶手段の複数の通信システム及び周波数の何れか１つを選択するとともに、選択した通信システム及び周波数を無線機制御部に通知し、無線機制御部にこの通信システムに適合する無線機の選択と選択した無線機に対する周波数の設定とを行わせ該当無線機を起動・動作させるようにしたので、選択対象の通信システム及び周波数をさらに絞り込むことができる。
【００２３】
また、本発明は、複数の通信システム及び周波数のうち前回に使用された通信システム及び周波数を記憶部に記憶するとともに、移動体通信装置の起動時には記憶部の前回の通信システム及び周波数を無線機制御部に通知し、無線機制御部にこの通信システムに適合する無線機の選択と選択した無線機に対する周波数の設定とを行わせ該当無線機を起動・動作させるようにしたので、同様に移動体通信装置を速やかに待ち受け動作に移行させることができ、この結果、同様にバッテリ寿命の長期化が可能になる。
【図面の簡単な説明】
【図１】  本発明に係る移動体通信装置の構成を示すブロック図である。
【図２】  上記移動体通信装置に用いられるカードの記録情報を示す図である。
【図３】  上記移動体通信装置のメモリの記憶情報を示す図である。
【符号の説明】
１…携帯電話機（移動体通信装置）、３…ＵＩＭカード、１１…制御部、１２…無線機制御部、１３…システムＡ用無線機、１４…システムＢ用無線機、１５…メモリ、１５Ａ，１５Ｂ…テーブル、１６…時計部、１７…表示部、１８…操作部、１９…カードリーダ。
【図１】
0003659219.tif 000002
【図２】
0003659219.tif 000003
【図３】
0003659219.tif 000004